(57)【要約】【課題】  除雪部材の雪への食込み性を良好にし、除雪性能を向上させ得る自走式除雪機を提供することを課題とする。【解決手段】  自走式除雪機１０は、機体１１の本体１２の前部を除雪部１３としたハウジング１４の中に除雪部材１５を備え、本体１２から後部にフレーム１６を備え、このフレーム１６の後端部に車輪１７を取付け、フレーム１６に設けた嵌合部１８に嵌合したハンドル軸１９及びこのハンドル軸１９の上部に備えたハンドル２１と、車輪１７を支えた車軸２２と、本体１２の上部２３に取付けたシュータ２４と、このシュータ２４の上部に備えたレバー２５と、ボルト２６に接触させながら円弧状長孔２７をスライドさせ動かすことのできる偏向板２８と、除雪部材１５の後方で車輪１７の車軸２２より前方に配置した駆動源３０と、からなる。【選択図】      図１
2005299158.tif 000002
【特許請求の範囲】
【請求項１】
機体の前部に除雪部材を備え、機体の後部に駆動源で駆動する車輪を備え、機体の後部からハンドルを延ばした自走式除雪機において、前記駆動源は、前記車輪の車軸より前方に配置したことを特徴とする自走式除雪機。
【発明の詳細な説明】
【技術分野】
【０００１】
本発明は、自走式除雪機に関するものである。
【背景技術】
【０００２】
従来の自走式除雪機として、左右２つの車輪、除雪部材としてのオーガ及びこれらを駆動する駆動源を備えたものが知られている（例えば、特許文献１参照。）。
【特許文献１】特開平２−３５１０７号公報（第２−３頁、図１）
【０００３】
特許文献１を次図に基づいて説明する。
図５は従来の技術の基本構成を説明する図であり、除雪機１００は車体１０１の後下部に車輪１０２、１０２（１つは図示せず。）を軸支し、この車輪１０２、１０２の上方部にエンジン１０３及び燃料タンク１０４を搭載し、車体１０１から後上方へ操作ハンドル１０５を突設し、車体１０１の前部に備えたオーガハウジング１０６の内部にオーガパドル１０７を搭載し、車体１０１の前方上部にシュータ１０８を備えたものである。
【０００４】
除雪機１００は、積雪地で、エンジン１０３を起動させ、このエンジン１０３の出力をＶベルト１０９、プーリ１１０を介して軸１１１に伝えることにより、軸１１１に連結したオーガパドル１０７が所定の回転速度で反時計方向に回転を始め、雪をオーガパドル１０６の内部の図示しない経路を通し、上方へ掻上げてシュータ１０８から外方へ放出し、除雪作業を行うことができる。
【０００５】
特許文献１の除雪機１００は、駆動源であるエンジン１０３が車輪１０２の上方部にあり、車輪１０２近傍に機体重心があるため、例えばハンドル１０５を下げて、オーガパドル１０７を上げ、この状態で旋回して進行方向を変更することは容易に行えるという利点はある。
【０００６】
その反面、路上の雪に氷が混じったり、雪が締まっているときには、オーガパドル１０７に作用する負荷が増大し、食込み性が低下し、除雪作業の能率が低下するという欠点がある。
【発明の開示】
【発明が解決しようとする課題】
【０００７】
本発明は、除雪部材の雪への食込み性を良好にし、除雪性能を向上させ得る自走式除雪機を提供することを課題とする。
【課題を解決するための手段】
【０００８】
請求項１に係る発明は、機体の前部に除雪部材を備え、機体の後部に駆動源で駆動する車輪を備え、機体の後部からハンドルを延ばした自走式除雪機において、前記駆動源は、前記車輪の車軸より前方に配置したことを特徴とする。
【０００９】
機体の前部に除雪部材を備え、機体の後部に駆動源で駆動する車輪を備え、駆動源を、車輪の車軸より前方で且つ除雪部材の後方に配置したので、自走式除雪機は、除雪部材に駆動力としての荷重を付与することができ、除雪部材の雪への食込み性を良好にすることができる。
【発明の効果】
【００１０】
請求項１に係る発明では、除雪部材の雪への食込み性が良好であるので、除雪作業を向上させることができる。
また、駆動源の重量物としての下向きの荷重が除雪部材に掛かるので、除雪部材は雪への食込み性が良好になり、除雪作業を向上させることができる。
【００１１】
さらに、駆動源の駆動力が前方へ掛かり易いことに起因して、自走式除雪機の操作性は向上する。
以上、除雪部材の雪への食込み性を良好にし、除雪性能を向上させる自走式除雪機を提供することができる。
【発明を実施するための最良の形態】
【００１２】
本発明を実施するための最良の形態を添付図に基づいて以下に説明する。なお、図面は符号の向きに見るものとする。
図１は本発明に係る自走式除雪機の一例を示す側面図であり、自走式除雪機１０は、機体１１の本体１２の前部を除雪部１３としたハウジング１４の中に除雪部材１５を備え、本体１２から後部にフレーム１６を備え、このフレーム１６の後端部に車輪１７を取付け、フレーム１６に設けた嵌合部１８に嵌合したハンドル軸１９及びこのハンドル軸１９の上部に備えたハンドル２１と、車輪１７を支えた車軸２２と、本体１２の上部２３に取付けたシュータ２４と、このシュータ２４の上部に備えたレバー２５と、ボルト２６に接触させながら円弧状長孔２７をスライドさせ動かすことのできる偏向板２８と、除雪部材１５の後方で車輪１７の車軸２２より前方に配置した駆動源３０と、からなる。
【００１３】
駆動源３０は、エンジン３１及び燃料タンク３２と、フレーム１６の下方に備えた変速機３３と、エンジン３１に備えた第１歯車３４と変速機３３に備えた第２歯車３５とを連結する第１チェーン３６と、変速機３３に備えた第３歯車３７と車輪１７に備えた第４歯車３８とを連結する第２チェーン３９と、変速機３３に備えた第２歯車３５と除雪部材１５に備えた第５歯車４２とを連結する第３チェーン４３と、除雪部材１５の回転を支持する軸４４と、からなる。
【００１４】
この自走式除雪機１０は、作業者がハンドル２１を握り、エンジン３１をオンすると、第１歯車３４からの駆動力を第１チェーン３６を介して第２歯車３５に伝導し、続いて変速機３３を介した第３歯車３７からの駆動力を第２チェーン３９を介して第４歯車３８に伝導することから、車軸２２に駆動力が伝わり、車輪１７を回転させて前進することができる。
【００１５】
また、自走式除雪機１０は、エンジン３１をオンして、第１歯車３４からの駆動力を第１チェーン３６を介して第２歯車３５に伝導し、除雪部材１５を回転させるための図示しないスイッチをオンすると、続いて変速機３３の第２歯車３５からの駆動力を第３チェーン４３を介して第５歯車４２に伝導することから、除雪部材１５に連結する軸４４に駆動力が伝わり、除雪部材１５を反時計方向に回転させて除雪作業を行うことができる。
【００１６】
図２は本発明に係る自走式除雪機の一例を示す平面図であり、自走式除雪機１０は、機体１１の本体１２の前方に備わる除雪部１３と、この除雪部１３を形成するハウジング１４と、本体１２に取付け後方へ延びるフレーム１６と、フレーム１６の２つの端部４５で図示しない車軸２２を軸支し、この車軸２２の回転により回転する車輪１７と、ハンドル軸１９を連結する連結棒４６と、連結棒４６の両端に備わるハンドル２１、２１及びブレーキ４７、４７と、除雪部１３のほぼ中央部に備えたシュータ２４及び偏向板２８と、フレーム１６のほぼ中央部に備えたエンジン３１及び燃料タンク３２と、エンジン３１からの駆動力を図示しない変速機３３に伝動する第１チェーン３６と、この第１チェーン３６の一端部の図示しない第２歯車３５の軸４８と、図示しない除雪部材１５を作動させるために、この除雪部材１５に連結する図示しない軸４４を回転させるための第３チェーン４３と、からなる。
【００１７】
図３は自走式除雪機を始動させ除雪部材を雪壁に接触させる作用図である。
（ａ）で、作業者５１がハンドル２１を握り、自走式除雪機１０の機体１１を矢印Ａの如く雪壁５２に向って前方へ始動させる状態を示す。
【００１８】
（ｂ）で、自走式除雪機１０の機体１１のハウジング１４の前面部が雪壁５２に当り、作業者５１がハンドル２１を握り、ハンドル軸１９を矢印Ｂの如く前方へ傾けて、機体１１を矢印Ｃの如く前方へ押し、除雪部材１５を矢印Ｄの如く雪壁５２に食込ませる前の状態を示す。
【００１９】
図４は自走式除雪機を雪壁に食込ませ、除雪作業を行う作用図である。
（ａ）で、作業者５１がハンドル２１を持ち自走式除雪機１０のハウジング１４の先方部５３及び除雪部材１５の先方部５４が雪壁５２に食込んだ状態を示す。
この状態で、除雪部材１５は図３（ｂ）の矢印Ｄの如く反時計方向に回転させることで、除雪作業を進めることができる。
【００２０】
（ｂ）で、先ず、作業者５１はハンドル２１を持ち自走式除雪機１０の除雪部材１５を反時計方向に回転させる。
続いて、除雪部材１５の先方部５４が雪壁５２の一部から矢印Ｅの如く掻上げた雪５５は、ハウジング１４の内部の図示しない経路を通過して、シュータ２４の出口５６から矢印Ｆの如く外方へ放出される。
【００２１】
自走式除雪機１０は、除雪部材１５の雪への食込み性が良好であるので、除雪作業を向上させることができる。
また、駆動源３０の重量物としての下向きの荷重が除雪部材１５に掛かるので、除雪部材１５は雪への食込み性が良好になり、除雪作業を向上させることができる。
【００２２】
さらに、駆動源３０の駆動力が前方へ掛かり易いことに起因して、自走式除雪機１０の操作性は向上する。
【００２３】
尚、本発明の自走式除雪機は、機体の前部に除雪部材を備え、機体の後部に駆動源で駆動する車輪を備え、駆動源を車輪の車軸より前方に配置していれば良く、除雪部材、駆動源、車輪の細かな形状や寸法を特に問題にしない。
【００２４】
また、本発明の実施例では歩行型除雪機の一例を示したが、除雪部材、駆動源、車輪の配置に関しては乗用型除雪機にも適用できる。
【産業上の利用可能性】
【００２５】
本発明は、車輪を１つとした自走式除雪機に好適である。
【図面の簡単な説明】
【００２６】
【図１】本発明に係る自走式除雪機の一例を示す側面図である。
【図２】本発明に係る自走式除雪機の一例を示す平面図である。
【図３】自走式除雪機を始動させ除雪部材を雪壁に接触させる作用図である。
【図４】自走式除雪機を雪壁に食込ませ、除雪作業を行う作用図である。
【図５】従来の技術の基本構成を説明する図である。
【符号の説明】
【００２７】
１０…自走式除雪機  、１１…機体  、１３…除雪部  、１５…除雪部材  、１６…フレーム  、１７…車輪  、２１…ハンドル  、２２…車軸  、２４…シュータ  、３０…駆動源  、３１…エンジン  、３３…変速機  、４４…軸。
【図１】
2005299158.tif 000003
【図２】
2005299158.tif 000004
【図３】
2005299158.tif 000005
【図４】
2005299158.tif 000006
【図５】
2005299158.tif 000007